(57)【要約】【課題】  枠組壁工法による耐力壁において、面材の目地の部分のずれをなくすこと。【解決手段】  隣接する複数の面材３４、３５を枠材３１〜３３に釘打ちしてなる耐力壁３０において、隣接する面材３４、３５の相対する端部のそれぞれを枠材３１〜３３に接着剤を介することなく釘打ち固定するとともに、それらの端部の端面同士を接着剤４１、４２により接着したもの。【選択図】  図５
2006090000.tif 000002
【特許請求の範囲】
【請求項１】
隣接する複数の面材を枠材に釘打ちしてなる耐力壁において、
隣接する面材の相対する端部のそれぞれを枠材に接着剤を介することなく釘打ち固定す
るとともに、それらの端部の端面同士を接着剤により接着したことを特徴とする耐力壁。
【請求項２】
前記隣接する面材の相対する端部のそれぞれにおける外面側角部に面取り状端面を形成
し、それらの端部の面取り状端面同士が形成する凹部に接着剤を設けた請求項１に記載の
耐力壁。
【請求項３】
前記隣接する面材の相対する端部のそれぞれと枠材との間に接着防止材を設ける状態で
、それらの端部のそれぞれを枠材に釘打ち固定するとともに、それらの端部の端面間に接
着剤を設けた請求項１に記載の耐力壁。
【請求項４】
前記隣接する面材の相対する端部の端面同士を接着剤により接着した状態で、それらの
端部のそれぞれを枠材に釘打ち固定した請求項１に記載の耐力壁。
【発明の詳細な説明】
【技術分野】
【０００１】
本発明は耐力壁に関する。
【背景技術】
【０００２】
木質ユニット建物の枠組壁工法では、非特許文献１に記載の如く、ランバの如くの枠材
に、構造用合板等の面材を釘打ちすることで、建物に作用する水平力を負担し得る耐力壁
を構成することとしている。
【非特許文献１】平成13年国土交通省告示第1540号
【発明の開示】
【発明が解決しようとする課題】
【０００３】
しかしながら、枠材に複数の面材を釘打ちした耐力壁では、大きな水平力が作用すると
、面材の目地の部分にずれを生じ、面材に設けられている外装材等に亀裂が入るおそれが
ある。
【０００４】
他方、枠材に面材を接着して耐力壁を構成する木質プレハブ工法も非特許文献１に記載
されているが、この木質プレハブ工法において耐力壁の耐久性、信頼性を確保するために
は、大規模な専用設備を必要とするし、その管理によっては構造上の欠陥を引き起こすお
それもある。
【０００５】
本発明の課題は、枠組壁工法による耐力壁において、面材の目地の部分のずれをなくす
ことにある。
【課題を解決するための手段】
【０００６】
請求項１の発明は、隣接する複数の面材を枠材に釘打ちしてなる耐力壁において、隣接
する面材の相対する端部のそれぞれを枠材に接着剤を介することなく釘打ち固定するとと
もに、それらの端部の端面同士を接着剤により接着したものである。
【０００７】
請求項２の発明は、請求項１の発明において更に、前記隣接する面材の相対する端部の
それぞれにおける外面側角部に面取り状端面を形成し、それらの端部の面取り状端面同士
が形成する凹部に接着剤を設けたものである。
【０００８】
請求項３の発明は、請求項１の発明において更に、前記隣接する面材の相対する端部の
それぞれと枠材との間に接着防止材を設ける状態で、それらの端部のそれぞれを枠材に釘
打ち固定するとともに、それらの端部の端面間に接着剤を設けたものである。
【０００９】
請求項４の発明は、請求項１の発明において更に、前記隣接する面材の相対する端部の
端面同士を接着剤により接着した状態で、それらの端部のそれぞれを枠材に釘打ち固定し
たものである。
【発明の効果】
【００１０】
（請求項１）
(a)ランバの如くの枠材に面材を釘打ちすることにより、耐久性と信頼性の高い耐力壁
を構成できる。
【００１１】
(b)隣接する面材の目地を形成する端面同士を接着剤により接着したから、建物に作用
する水平力により面材の目地の部分にずれを生ずることがない。従って、面材に設けられ
ている外装材等に亀裂が入るおそれもない。
【００１２】
(c)面材を枠材に接着剤を介して接着するところがないから、大規模な専用設備を必要
としないで、耐力壁の耐久性と信頼性を確保できる。
【００１３】
（請求項２）
(d)隣接する面材の面取り状端面同士が形成する凹部に接着剤を充填することにより、
面材と枠材の間に接着剤を塗布することなく、面材の端面同士を接着剤により接着できる
。
【００１４】
（請求項３）
(e)隣接する面材の相対する端部と枠材との間に接着防止材を設けることにより、面材
と枠材の間に接着剤を塗布することなく、面材の端面同士を接着剤により接着できる。
【００１５】
（請求項４）
(f)隣接する面材の端面同士を接着剤により接着した状態で、面材を枠材に釘打ちする
ことにより、面材と枠材の間に接着剤を塗布することなく、面材の端面同士を接着剤によ
り接着できる。
【発明を実施するための最良の形態】
【００１６】
図１は木質ユニット建物を示す斜視図、図２は図１のII−II線に沿う壁構造を示す断面
図、図３は建物ユニットを示す分解斜視図、図４は壁パネルを示す縦断面図、図５は図４
のＶ−Ｖ線に沿う断面図、図６は耐力壁の施工例１を示す断面図、図７は耐力壁の施工例
２を示す断面図、図８は耐力壁の施工例３を示す断面図である。
【実施例】
【００１７】
図１の木質ユニット建物１は、複数の建物ユニット１０を左右上下に隣接設置して構築
されたものである。
【００１８】
建物ユニット１０は、図２、図３に示す如く、床パネル２０の外縁に壁パネル３０を立
設して構成される。
【００１９】
床パネル２０は、図２に示す如く、床根太２１からなる床枠組２０Ａの下面周囲につな
ぎ材２２を固定し、床枠組２０Ａの上面に床面材２３を設けて構成される。
【００２０】
壁パネル３０は、図２〜図５に示す如く、上枠材３１、下枠材３２及び縦枠材３３を組
んだ壁枠組３０Ａの室内側に内面材３４を釘３４Ａにより釘打ちするとともに、壁枠組３
０Ａの室外側に外面材３５を釘３５Ａにより釘打ちする。更に、壁パネル３０にあっては
、外面材３５の外側に不図示の胴縁を介して外装材３６を取着し、外面材３５と外装材３
６で二重壁を構成する。
【００２１】
壁パネル３０は、内面材３４と外面材３５の間に断熱材３７を設け、外面材３５と断熱
材３７の間に上下階に連通する第１の空気流通路３８を形成する。また、壁パネル３０は
、外面材３５と外装材３６の間に上下階に連通する第２の空気流通路３９を形成する。こ
れにより、壁パネル３０は、断熱性能と通気性能を確保できる。
【００２２】
しかるに、壁パネル３０は、本発明の耐力壁を構成し、壁枠組３０Ａの各枠材３１〜３
３の室内側に、複数の隣接する内面材３４を互いに枠材３１〜３３の室内側の側面上で突
合せする状態にて釘３４Ａにより釘打ちするとともに、各枠材３１〜３３の室外側に、複
数の隣接する外面材３５を互いに枠材３１〜３３の室外側の側面上で突合せする状態にて
釘３５Ａにより釘打ちするに際し、内面材３４の目地部及び外面材３５の目地部の水平力
によるずれをなくすために以下の構成を備える。即ち、壁パネル３０は、図５に示す如く
、隣接する面材３４、３４の相対する端部のそれぞれを枠材３１〜３３に接着剤を介する
ことなく釘（３４Ａ）打ち固定するとともに、それらの端部の端面同士を接着剤４１によ
り接着する。同時に、壁パネル３０は、図５に示す如く、隣接する外面材３５、３５の相
対する端部のそれぞれを枠材３１〜３３に接着剤を介することなく釘（３５Ａ）打ち固定
するとともに、それらの端部の端面同士を接着剤４２により接着する。
【００２３】
従って、壁パネル３０によれば以下の作用効果を奏する。
(a)ランバの如くの枠材３１〜３３に面材３４、３５を釘打ちすることにより、耐久性
と信頼性の高い耐力壁を構成できる。
【００２４】
(b)隣接する面材３４、３５の目地を形成する端面同士を接着剤４１、４２により接着
したから、建物に作用する水平力により面材３４、３５の目地の部分にずれを生ずること
がない。従って、面材３４、３５に設けられている外装材３６等に亀裂が入るおそれもな
い。
【００２５】
(c)面材３４、３５を枠材３１〜３３に接着剤を介して接着するところがないから、大
規模な専用設備を必要としないで、耐力壁（壁パネル３０）の耐久性と信頼性を確保でき
る。
【００２６】
以下、壁パネル３０の施工例について説明する。
施工例１（図６）
【００２７】
(1)隣接する外面材３５（内面材３４の方も同じ）の相対する端部のそれぞれにおける
外面側角部に面取り状端面を形成する。
【００２８】
(2)上述(1)の隣接する外面材３５の相対する端部のそれぞれを枠材３１〜３３に接着剤
を介することなく釘打ち固定する。
【００２９】
(3)上述(2)の隣接する外面材３５の端部の面取り状端面同士が形成する凹部５１に接着
剤４２を充填し、それらの端部の端面同士を接着剤４２により接着する。
【００３０】
施工例１によれば、隣接する外面材３５の面取り状端面同士が形成する凹部５１に接着
剤４２を充填することにより、外面材３５と枠材３１〜３３の間に接着剤を塗布すること
なく、外面材３５の端面同士を接着剤４２により接着できる。
【００３１】
施工例２（図７）
(1)隣接する外面材３５（内面材３４の方も同じ）の相対する端部のそれぞれと、枠材
３１〜３３との間に接着防止シート５２（又は接着防止溶剤塗布）を取付ける。
【００３２】
(2)上述(1)の隣接する外面材３５の相対する端部のそれぞれを枠材３１〜３３に接着剤
を介することなく釘打ち固定する。
【００３３】
(3)上述(2)の隣接する外面材３５の端部の端面間に接着剤４２を充填し、それらの端部
の端面同士を接着剤４２により接着する。
【００３４】
施工例２によれば、隣接する外面材３５の相対する端部と枠材３１〜３３との間に接着
防止材としての接着防止シート５２を設けることにより、外面材３５と枠材３１〜３３の
間に接着剤を塗布することなく、外面材３５の端面同士を接着剤４２により接着できる。
【００３５】
施工例３（図８）
(1)隣接する外面材３５（内面材３４の方も同じ）の相対する端部の端面同士を予め、
接着剤４２により接着する。
【００３６】
(2)上述(1)の隣接する外面材３５の相対する端部のそれぞれを枠材３１〜３３に接着剤
を介することなく釘打ち固定する。
【００３７】
施工例３によれば、隣接する外面材３５の端面同士を接着剤４２により接着した状態で
、外面材３５を枠材３１〜３３に釘打ち固定することにより、外面材３５と枠材３１〜３
３の間に接着剤を塗布することなく、外面材３５の端面同士を接着剤４２により接着でき
る。
【００３８】
尚、壁パネル３０において、枠材３１〜３３としてはランバを用いる。また、面材３４
、３５としては、構造用合板、構造用パネル、パーティクルボード、ハードボード、硬質
木片セメント板、フレキシブル板、石綿パーライト板、シージングボード、ＭＤＦ、火山
性ガラス質複層板、ラスシート、せっこうボード等を用いる。また、接着剤４１、４２と
しては、フェノール樹脂、レゾルシノール樹脂、コリア樹脂、メラミン樹脂、不飽和ポリ
エステル樹脂、エポキシ樹脂、酢酸ビニール樹脂、ポリビニールアルコール、エチレン・
酢ビ共重合樹脂、シアノアクリレート等を用いる。
【００３９】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００４０】
【図１】図１は木質ユニット建物を示す斜視図である。
【図２】図２は図１のII−II線に沿う壁構造を示す断面図である。
【図３】図３は建物ユニットを示す分解斜視図である。
【図４】図４は壁パネルを示す縦断面図である。
【図５】図５は図４のＶ−Ｖ線に沿う断面図である。
【図６】図６は耐力壁の施工例１を示す断面図である。
【図７】図７は耐力壁の施工例２を示す断面図である。
【図８】図８は耐力壁の施工例３を示す断面図である。
【符号の説明】
【００４１】
３０  壁パネル（耐力壁）
３１〜３３  枠材
３４、３５  面材
３４Ａ、３５Ａ  釘
４１、４２  接着剤
５１  凹部
５２  接着防止シート（接着防止材）
【図１】
2006090000.tif 000003
【図２】
2006090000.tif 000004
【図３】
2006090000.tif 000005
【図４】
2006090000.tif 000006
【図５】
2006090000.tif 000007
【図６】
2006090000.tif 000008
【図７】
2006090000.tif 000009
【図８】
2006090000.tif 000010